(57)【要約】      （修正有）【課題】吐出口からのインクの蒸発によるインクの増粘によって、形成する画像に色ムラが発生することを低減する液体吐出ヘッドを提供する。【解決手段】液体を吐出するための吐出口と、液体を吐出するために利用されるエネルギーを発生するエネルギー発生素子が配される流路と、吐出口と前記流路とを連通する吐出口部と、外部から液体を供給するため供給流路と、外部へ液体を回収するための回収流路と、を備える液体吐出ヘッドであって、液体の水分量が６５ｗｔ％以下であり、流路の内部の液体は当該流路の外部との間で循環される。【選択図】図２６
2020059168.tif 000002
【特許請求の範囲】
【請求項１】
液体を吐出するための吐出口と、液体を吐出するために利用されるエネルギーを発生するエネルギー発生素子が配される流路と、前記吐出口と前記流路とを連通する吐出口部と、外部から液体を供給するための供給流路と、外部へ液体を回収するための回収流路と、を備える液体吐出ヘッドであって、
前記外部から供給される液体の水分量が６５ｗｔ％以下であり、
前記流路の内部の液体は当該流路の外部との間で循環されることを特徴とする液体吐出ヘッド。
【請求項２】
前記供給される液体の水分量が６０ｗｔ％以下である請求項１に記載の液体吐出ヘッド。
【請求項３】
前記供給される液体の水分量が５５ｗｔ％以下である請求項１に記載の液体吐出ヘッド。
【請求項４】
前記流路と前記吐出口部との連通部の、前記流路内の液体の流れ方向に関する上流側での前記流路の高さをＨ、前記吐出口から液体が吐出される方向における前記吐出口部の長さをＰ、前記流路内の液体の流れ方向における前記吐出口部の長さをＷ、
とした場合に、
Ｈ―０．３４×Ｐ−０．６６×Ｗ＞１．５
を満たす請求項１乃至３のいずれか１項に記載の液体吐出ヘッド。
【請求項５】
前記流路と前記吐出口部との連通部の、前記流路内の液体の流れ方向に関する上流側での前記流路の高さをＨ、前記吐出口から液体が吐出される方向における前記吐出口部の長さをＰ、前記流路内の液体の流れ方向における前記吐出口部の長さをＷ、
とした場合に、
Ｈ―０．３４×Ｐ−０．６６×Ｗ＞１．７
を満たす請求項１乃至３のいずれか１項に記載の液体吐出ヘッド。
【請求項６】
前記Ｈが２０μｍ以下、前記Ｐが２０μｍ以下、前記Ｗが３０μｍ以下である請求項４または５に記載の液体吐出ヘッド。
【請求項７】
前記流路内の液体の流れの速さが０．１ｍｍ／ｓ以上、１００ｍｍ／ｓ以下である請求項１乃至６のいずれか１項に記載の液体吐出ヘッド。
【請求項８】
前記供給される液体の固形分量が１０ｗｔ％以上である請求項１乃至７のいずれか１項に記載の液体吐出ヘッド。
【請求項９】
前記供給される液体は自己分散顔料を含む請求項１乃至８のいずれか１項に記載の液体吐出ヘッド。
【請求項１０】
前記供給される液体を加熱するための加熱手段を備える請求項１乃至９のいずれか１項に記載の液体吐出ヘッド。
【請求項１１】
前記エネルギー発生素子が形成される記録素子基板を備え、
前記液体を循環させるための動力源であるポンプは前記記録素子基板に設けられていることを特徴とする請求項１乃至１０のいずれか１項に記載の液体吐出ヘッド。
【請求項１２】
液体を保持する共通液室を備え、
前記流路は、前記エネルギー発生素子を備える圧力室と、前記圧力室と前記共通液室とを連通する第１の流路と、前記圧力室と前記共通液室とを連通する第２の流路と、を含み、前記ポンプは前記第２の流路に設けられていることを特徴とする請求項１１に記載の液体吐出ヘッド。
【請求項１３】
前記第２の流路は屈曲部を備える略Ｕ字形状であることを特徴とする請求項１２に記載の液体吐出ヘッド。
【請求項１４】
前記ポンプは、前記エネルギー発生素子とは別に設けられる、前記液体中に気泡を発生させる発熱素子であることを特徴とする請求項１１乃至１３のいずれか１項に記載の液体吐出ヘッド。
【請求項１５】
前記液体を循環させるための動力源であるポンプは体吐出ヘッドの外部に設けられていることを特徴とする請求項１乃至１０のいずれか１項に記載の液体吐出ヘッド。
【請求項１６】
前記エネルギー発生素子は前記液体中に気泡を発生させる発熱素子であることを特徴とする請求項１乃至１５のいずれか１項に記載の液体吐出ヘッド。
【請求項１７】
請求項１乃至１６のいずれか１項に記載の液体吐出ヘッドを有することを特徴とする液体吐出装置。
【発明の詳細な説明】
【技術分野】
【０００１】
本発明は、インクを吐出口から吐出可能な液体吐出ヘッドおよび液体吐出装置に関するものである。
【背景技術】
【０００２】
インク等の液体を吐出して画像を形成するインクジェット記録装置に用いられる液体吐出ヘッドにおいて、インクを吐出する吐出口からインク中の揮発成分が蒸発することで、吐出口付近のインクが増粘する。これにより吐出される液滴の吐出速度が変化したり、着弾精度に影響がでたりすることが課題となっている。特に吐出を行った後の休止時間が長い場合、インクの粘度の増加が顕著になり、インクの固形成分が吐出口付近に固着し、この固形成分によりインクの流体抵抗を増加し吐出不良となる場合もある。
【０００３】
このようなインクの増粘現象に対する対策の１つとして、液体吐出ヘッドに供給するインクを循環路により循環させる方法が知られている。特許文献１には、吐出口が形成された部材と発熱抵抗体が形成された基板との間に形成される流路内のインクを循環させることにより、吐出口からのインク蒸発に伴う吐出口の目詰まりを防止する液体吐出ヘッドが記載されている。
【先行技術文献】
【特許文献】
【０００４】
【特許文献１】特開２００２−３５５９７３
【発明の概要】
【発明が解決しようとする課題】
【０００５】
しかしながら、本発明者らの検討の結果、特許文献１の構成によるインクの循環では、吐出口からのインクの蒸発によるインクの増粘対策が十分でないため、インクの色材濃度が変化して、画像形成時に色ムラが生じるという新たな課題を見出した。特に、水分量が少ないインクの場合、蒸発に伴う増粘が大きくなるため、画像の色ムラが生じ易かった。
【０００６】
本発明は上記課題に鑑み、吐出口からのインクの蒸発によるインクの増粘によって、形成する画像に色ムラが発生することを低減する液体吐出ヘッド、及び液体吐出装置を提供することを目的とする。
【課題を解決するための手段】
【０００７】
上記課題は、以下の本発明によって解決される。即ち本発明は、液体を吐出するための吐出口と、液体を吐出するために利用されるエネルギーを発生するエネルギー発生素子が配される流路と、前記吐出口と前記流路とを連通する吐出口部と、外部から液体を供給するため供給流路と、外部へ液体を回収するための回収流路と、を備える液体吐出ヘッドであって、前記液体の水分量が６５ｗｔ％以下であり、前記流路の内部の液体は当該流路の外部との間で循環されることを特徴とする液体吐出ヘッドである。
【発明の効果】
【０００８】
本発明によれば、吐出口からのインクの蒸発によるインクの増粘を軽減することで、形成する画像の色ムラを低減することが可能となる。
【図面の簡単な説明】
【０００９】
【図１】液体吐出装置の概略構成を示す斜視図。
【図２】図１に示す液体吐出装置の第１の循環流路を示す図。
【図３】図１に示す液体吐出装置の第２の循環流路を示す図。
【図４】液体吐出ヘッドの斜視図。
【図５】図４に示す液体吐出ヘッドの分解斜視図。
【図６】図４に示す液体吐出ヘッドの各流路部材の平面図及び底面図。
【図７】図６に示す流路部材の透視図。
【図８】図４に示す液体吐出ヘッドの断面図。
【図９】図４に示す液体吐出ヘッドの吐出モジュールの斜視図及び分解斜視図。
【図１０】図４に示す液体吐出ヘッドの記録素子基板の平面図、拡大平面図、及び背面図。
【図１１】図４に示す液体吐出ヘッドの一部切欠斜視図。
【図１２】図４に示す液体吐出ヘッドの隣り合う２つの記録素子基板を示す要部拡大平面図。
【図１３】液体吐出ヘッドの斜視図。
【図１４】図１３に示す液体吐出ヘッドの分解斜視図。
【図１５】図１３に示す液体吐出ヘッドの各流路部材の平面図、及び底面図。
【図１６】図１３に示す液体吐出ヘッドの記録素子基板と流路部材の流路の接続状態を示す図。
【図１７】図１６のＦ−Ｆ線における液体吐出ヘッドの断面図。
【図１８】図１３に示す液体吐出ヘッドの吐出モジュールの斜視図及び分解斜視図。
【図１９】図１３に示す液体吐出ヘッドの記録素子基板の平面図と中間部と底面図。
【図２０】液体吐出ヘッドの要部を説明する模式図。
【図２１】液体吐出ヘッドの吐出口部近傍の液体の流れの様子の例を説明する模式図。
【図２２】Ｐ／ＨとＷ／Ｐの関係を説明するグラフ。
【図２３】吐出口近傍の液体の流れの様子の例を説明する模式図。
【図２４】Ｐ／ＨとＷ／Ｐの関係を説明するグラフ。
【図２５】インクの水分蒸発量と粘度の関係を示すグラフ。
【図２６】圧力室内の粘度（濃度）分布を示す図。
【図２７】液体吐出ヘッドの要部を説明する模式図。
【図２８】液体吐出ヘッドの要部を説明する模式図。
【図２９】液体吐出装置の循環流路を示す図。
【図３０】液体吐出装置の概略構成を示す斜視図。
【図３１】液体吐出ヘッドの斜視図。
【図３２】液体吐出ヘッドの分解斜視図。
【図３３】流路部材の透視図。
【発明を実施するための形態】
【００１０】
以下、図面を用いて本発明の実施の形態の例を説明する。ただし、以下の記載は本発明の範囲を限定するものではない。１例として、本実施形態では発熱素子により気泡を発生させて液体を吐出するサーマル方式が採用されているが、ピエゾ方式およびその他の各種液体吐出方式が採用された液体吐出ヘッドにも本発明を適用することができる。
【００１１】
本実施形態は、インク等の液体をタンクと液体吐出ヘッド間で循環させる形態のインクジェット記録装置（記録装置）である。但し、その他の形態であっても良く、例えばインクを循環せずに、液体吐出ヘッド上流側と下流側に２つのタンクを設け、一方のタンクから他方のタンクへインク流すことで、圧力室内のインクを流動させる形態であってもよい。
【００１２】
また、本実施形態は被記録媒体の幅に対応した長さを有する、所謂ライン型ヘッドであるが、被記録媒体に対してスキャンを行いながら記録を行う、所謂シリアル型の液体吐出ヘッドにも本発明を適用できる。シリアル型の液体吐出ヘッドとしては、例えばブラックインク用、およびカラーインク用記録素子基板を各１つずつ搭載する構成があげられる。但し、これに限らず、数個の記録素子基板を吐出口列方向に吐出口をオーバーラップさせるよう配置した、被記録媒体の幅よりも短い、短尺のラインヘッドを作成し、それを被記録媒体に対してスキャンさせる形態のものであってもよい。
【００１３】
（インクジェット記録装置の説明）
液体を吐出する液体吐出装置、特にはインクを吐出して記録を行うインクジェット記録装置１０００（以下、記録装置とも称す）の概略構成を図１に示す。記録装置１０００は、被記録媒体４を搬送する搬送部１、被記録媒体の搬送方向と略直交して配置されるライン型（ページワイド型）の液体吐出ヘッド３とを備えている。そして、複数の被記録媒体４を連続もしくは間欠に搬送しながら１パスで連続記録を行うライン型記録装置である。被記録媒体４はカット紙に限らず、連続したロール紙であってもよい。液体吐出ヘッド３はＣＭＹＫインクによる（シアン、マゼンタ、イエロー、ブラック）フルカラー印刷が可能である。また、後述するように液体を液体吐出ヘッドへ供給する供給路である液体供給手段、メインタンクおよびバッファタンク（図２参照）が流体的に接続される。また、液体吐出ヘッド３には、液体吐出ヘッド３へ電力及び吐出制御信号を伝送する電気制御部が電気的に接続される。吐出ヘッド３内における液体経路及び電気信号経路については後述する。
【００１４】
（第１の循環経路の説明）
図２は、本実施形態の記録装置に適用される循環経路の１形態である第１の循環経路を示す模式図で、液体吐出ヘッド３を、第１循環ポンプ（高圧側）１００１、第１循環ポンプ（低圧側）１００２、及びバッファタンク１００３等に流体的に接続した図である。なお図２では、説明を簡略化するためにＣＭＹＫインクの内の一色のインクが流動する経路のみを示しているが、実際には４色分の循環経路が、液体吐出ヘッド３及び記録装置本体に設けられる。メインタンク１００６と接続される、サブタンクとしてのバッファタンク１００３はタンク内部と外部とを連通する大気連通口（不図示）を有し、インク中の気泡を外部に排出することが可能である。バッファタンク１００３は、補充ポンプ１００５とも接続されている。補充ポンプ１００５は、インクを吐出しての記録や吸引回復等、液体吐出ヘッドの吐出口からインクを吐出（排出）することによって液体吐出ヘッド３で液体が消費された際に、消費されたインク分をメインタンク１００６からバッファタンク１００３へ移送する。
【００１５】
２つの第１循環ポンプ１００１，１００２は、液体吐出ヘッド３の液体接続部１１１から液体を引き出してバッファタンク１００３へ流す役割を有する。第１循環ポンプとしては定量的な送液能力を有する容積型ポンプが好ましい。具体的にはチューブポンプ、ギアポンプ、ダイヤフラムポンプ、シリンジポンプ等が挙げられるが、例えば一般的な定流量弁やリリーフ弁をポンプ出口に配して一定流量を確保する形態であっても用いることができる。液体吐出ユニット３００の駆動時には第１循環ポンプ（高圧側）１００１及び第１循環ポンプ（低圧側）１００２によって、それぞれ共通供給流路２１１、共通回収流路２１２内をある一定量のインクが流れる。この流量としては、液体吐出ヘッド３内の各記録素子基板１０間の温度差が、記録画質に影響しない程度以上に設定することが好ましい。もっとも、あまりに大きな流量を設定すると、液体吐出ユニット３００内の流路の圧損の影響により、各記録素子基板１０で負圧差が大きくなり過ぎて画像の濃度ムラが生じてしまう。このため、各記録素子基板１０間の温度差と負圧差を考慮しながら、流量を設定することが好ましい。
【００１６】
負圧制御ユニット２３０は、第２循環ポンプ１００４と液体吐出ユニット３００との経路の間に設けられている。そして、記録を行うＤｕｔｙの差によって循環系の流量が変動した場合でも負圧制御ユニット２３０よりも下流側（即ち液体吐出ユニット３００側）の圧力を予め設定した一定圧力に維持するように動作する機能を有する。負圧制御ユニット２３０を構成する２つの圧力調整機構としては、それ自身よりも下流の圧力を、所望の設定圧を中心として一定の範囲以下の変動で制御できるものであれば、どのような機構を用いてもよい。一例としては所謂「減圧レギュレーター」と同様の機構を採用することができる。減圧レギュレーターを用いた場合には、図２に示したように、第２循環ポンプ１００４によって、液体供給ユニット２２０を介して負圧制御ユニット２３０の上流側を加圧するようにすることが好ましい。このようにするとバッファタンク１００３の液体吐出ヘッド３に対する水頭圧の影響を抑制できるので、記録装置１０００におけるバッファタンク１００３のレイアウトの自由度を広げることができる。第２循環ポンプ１００４としては液体吐出ヘッド３の駆動時に使用するインク循環流量の範囲において、一定圧以上の揚程圧を有するものであればよく、ターボ型ポンプや容積型ポンプなどを使用できる。具体的には、ダイヤフラムポンプ等が適用可能である。また第２循環ポンプ１００４の代わりに、例えば負圧制御ユニット２３０に対してある一定の水頭差をもって配置された水頭タンクでも適用可能である。
【００１７】
図２に示したように負圧制御ユニット２３０は、それぞれが互いに異なる制御圧が設定された２つの圧力調整機構を備えている。２つの負圧調整機構の内、相対的に高圧設定側（図２でＨと記載）、相対的に低圧側（図２でＬと記載）は、それぞれ、液体供給ユニット２２０内を経由して、液体吐出ユニット３００内の共通供給流路２１１、共通回収流路２１２に接続されている。液体吐出ユニット３００には、共通供給流路２１１、共通回収流路２１２、及び各記録素子基板と連通する個別供給流路２１３ａおよび個別回収流路２１３ｂが設けられている。個別流路２１３は共通供給流路２１１及び共通回収流路２１２と連通しているので、液体の一部が、共通供給流路２１１から記録素子基板１０の内部流路を通過して共通回収流路２１２へと流れる流れ（図２の矢印）が発生する。共通供給流路２１１には圧力調整機構Ｈが、共通回収流路２１２には圧力調整機構Ｌが接続されているため、２つの共通流路間に差圧が生じているからである。
【００１８】
このようにして、液体吐出ユニット３００では、共通供給流路２１１及び共通回収流路２１２内をそれぞれ通過するように液体を流しつつ、一部の液体が各記録素子基板１０内を通過するような流れが発生する。このため、各記録素子基板１０で発生する熱を共通供給流路２１１および共通回収流路２１２の流れで記録素子基板１０の外部へ排出することができる。またこのような構成により、液体吐出ヘッド３による記録を行っている際に、記録を行っていない吐出口や圧力室においてもインクの流れを生じさせることができるので、その部位におけるインクの増粘を抑制できる。また増粘したインクやインク中の異物を共通回収流路２１２へと排出することができる。このため、液体吐出ヘッド３は、高速で高画質な記録が可能となる。
【００１９】
（第２の循環経路の説明）
図３は、本実施形態の記録装置に適用される循環経路のうち、上述した第１の循環経路とは異なる循環形態である第２の循環経路を示す模式図である。前述の第１の循環経路との主な相違点は、負圧制御ユニット２３０を構成する２つの圧力調整機構が挙げられる。この圧力調整機構は共に、負圧制御ユニット２３０よりも上流側の圧力を、所望の設定圧を中心として一定範囲内の変動で制御する機構（所謂「背圧レギュレーター」と同作用の機構部品）である。他には、第２循環ポンプ１００４が負圧制御ユニット２３０の下流側を減圧する負圧源として作用する点がある。また、第１循環ポンプ（高圧側）１００１及び第１循環ポンプ（低圧側）１００２が液体吐出ヘッド上流側に配置され、負圧制御ユニット２３０が液体吐出ヘッド下流側に配置されている点も異なる。
【００２０】
液体吐出ヘッド３により記録を行う際の記録Ｄｕｔｙの変化によって生じる流量の変動がある場合がある。この場合であっても、負圧制御ユニット２３０は、自身の上流側（即ち液体吐出ユニット３００側）の圧力変動を、予め設定された圧力を中心として一定範囲内に安定にするように作動する。図３に示すように、第２循環ポンプ１００４によって、液体供給ユニット２２０を介して負圧制御ユニット２３０の下流側を加圧することが好ましい。このようにすると液体吐出ヘッド３に対するバッファタンク１００３の水頭圧の影響を抑制できるので、記録装置１０００におけるバッファタンク１００３のレイアウトの選択幅を広げることができる。第２循環ポンプ１００４の代わりに、例えば負圧制御ユニット２３０に対して所定の水頭差をもって配置された水頭タンクであっても適用可能である。
【００２１】
先の実施形態と同様に、図３に示したように負圧制御ユニット２３０は、それぞれが互いに異なる制御圧が設定された２つの圧力調整機構を備えている。２つの負圧調整機構の内、高圧設定側（図３でＨと記載）、低圧側（図３でＬと記載）はそれぞれ、液体供給ユニット２２０内を経由して、液体吐出ユニット３００内の共通供給流路２１１、および共通回収流路２１２に接続されている。２つの負圧調整機構により共通供給流路２１１の圧力を共通回収流路２１２の圧力より相対的に高くする。このようにすることで、共通供給流路２１１から個別流路２１３及び各記録素子基板１０の内部流路を介して共通回収流路２１２へと流れるインク流れが発生する（図３）の矢印）。このように、第２の循環経路では、液体吐出ユニット３００内には第１の循環経路と同様のインク流れ状態が得られるが、第１の循環経路の場合とは異なる２つの利点がある。
【００２２】
１つ目の利点は、第２の循環経路では負圧制御ユニット２３０が液体吐出ヘッド３の下流側に配置されているので、負圧制御ユニット２３０から発生するゴミや異物がヘッドへ流入する懸念が少ないことである。２つ目の利点は、第２の循環経路では、バッファタンク１００３から液体吐出ヘッド３へ供給する必要流量の最大値が、第１の循環経路の場合よりも少なくて済むことである。その理由は次の通りである。記録待機時に循環している場合の、共通供給流路２１１及び共通回収流路２１２内の流量の合計をＡとする。Ａの値は、記録待機中に液体吐出ヘッド３の温度調整を行う場合に、液体吐出ユニット３００内の温度差を所望の範囲内にするために必要な、最小限の流量として定義される。また液体吐出ユニット３００の全ての吐出口からインクを吐出する場合（全吐時）の吐出流量をＦと定義する。そうすると、第１の循環経路の場合（図２）では、第１循環ポンプ（高圧側）１００１及び第１循環ポンプ（低圧側）１００２の設定流量がＡとなるので、全吐時に必要な液体吐出ヘッド３への液体供給量の最大値はＡ＋Ｆとなる。
【００２３】
一方で第２の循環経路の（図３）の場合、記録待機時に必要な液体吐出ヘッド３への液体供給量は流量Ａである。そして、全吐時に必要な液体吐出ヘッド３への供給量は流量Ｆとなる。そうすると、第２の循環経路の場合、第１循環ポンプ（高圧側）１００１及び第１循環ポンプ（低圧側）１００２の設定流量の合計値、即ち必要供給流量の最大値はＡ又はＦの大きい方の値となる。このため、同一構成の液体吐出ユニット３００を使用する限り、第２の循環経路における必要供給量の最大値（Ａ又はＦ）は、第１の循環経路における必要供給流量の最大値（Ａ＋Ｆ）よりも必ず小さくなる。そのため第２の循環経路の場合、適用可能な循環ポンプの自由度が高まり、例えば構成の簡便な低コストの循環ポンプを使用したり、本体側経路に設置される冷却器（不図示）の負荷を低減したりすることができる。それにより、記録装置本体のコストを低減できる。この利点は、Ａ又はＦの値が比較的大きくなるラインヘッドであるほど大きくなり、ラインヘッドの中でも長手方向の長さが長いラインヘッドほど有益である。
【００２４】
しかしながら一方で、第１の循環経路の方が、第２の循環経路に対して有利になる点もある。すなわち、第２の循環経路では、記録待機時に液体吐出ユニット３００内を流れる流量が最大であるため、記録Ｄｕｔｙの低い画像であるほど、各ノズルに高い負圧が印加された状態となる。特に共通供給流路２１１及び共通回収流路２１２の流路幅（液体の流れ方向と直交する方向の長さ）を小さくしてヘッド幅（液体吐出ヘッドの短手方向の長さ）を小さくすることを想定する。この場合、ムラの見えやすい低Ｄｕｔｙ画像でノズルに高い負圧が印加されるためにサテライト滴の影響が大きくなる恐れがある。一方、第１の循環経路の場合、高い負圧がノズルに印加されるのは高Ｄｕｔｙ画像形成時であるため、仮にサテライトが発生しても視認されにくく、画像への影響は小さいという利点がある。２つの循環経路の選択は、液体吐出ヘッドおよび記録装置本体の仕様（吐出流量Ｆ、最小循環流量Ａ、及びヘッド内流路抵抗）に照らして、好ましい選択を採ることができる。
【００２５】
（第３の循環経路の説明）
図２９は、本実施形態の記録装置に適用される循環経路の１形態である第３の循環経路を示す模式図である。上記第１および第２の循環経路と同様な機能、構成については説明を省略し、異なる点について主体的に説明する。
【００２６】
本循環経路では、液体吐出ヘッド３の中央部の２個所と、液体吐出ヘッド３の一端側の計３か所から液体吐出ヘッド３内に液体が供給される。液体は、共通供給流路２１１から各圧力室２３を経た後に共通回収流路２１２に回収され、液体吐出ヘッド３の他端部にある回収開口から外部へ回収される。個別流路２１３は共通供給流路２１１及び共通回収流路２１２と連通しており、各個別流路２１３の経路中に記録素子基板１０およびその記録素子基板内に配される圧力室２３が設けられている。よって、第１循環ポンプ１００２で流す液体の一部は、共通供給流路２１１から記録素子基板１０の圧力室２３内を通過して、共通回収流路２１２へと流れる（図２９の矢印）。これは、共通供給流路２１１に接続された圧力調整機構Ｈと、共通回収流路２１２に接続された圧力調整機構Ｌとの間に圧力差が設けられ、第１循環ポンプ１００２が共通回収流路２１２のみに接続されているからである。
【００２７】
このようにして、液体吐出ユニット３００では、共通回収流路２１２内を通過するような液体の流れと、共通供給流路２１１から各記録素子基板１０内の圧力室２３を通過し共通回収流路２１２に流れが発生する。このため、圧力損失の増大を抑制しつつ、各記録素子基板１０で発生する熱を共通供給流路２１１から共通回収流路２１２への流れで記録素子基板１０の外部へ排出することができる。また、本循環経路によれば、上記第１および第２の循環経路に比べて液体の輸送手段であるポンプの数を少なくすることが可能となる。
【００２８】
（液体吐出ヘッド構成の説明）
液体吐出ヘッド３の構成について説明する。図４（ａ）及び図４（ｂ）は本実施形態に係る液体吐出ヘッド３の斜視図である。液体吐出ヘッド３は１つの記録素子基板１０でＣ／Ｍ／Ｙ／Ｋの４色のインクを吐出可能な記録素子基板１０を直線上に１５個配列（インラインに配置）されるライン型の液体吐出ヘッドである。図４（ａ）に示すように、液体吐出ヘッド３には各記録素子基板１０と、フレキシブル配線基板４０および電気配線基板９０を介して電気的に接続された信号入力端子９１と電力供給端子９２を備える。信号入力端子９１及び電力供給端子９２は記録装置１０００の制御部と電気的に接続され、それぞれ、吐出駆動信号及び吐出に必要な電力を記録素子基板１０に供給する。電気配線基板９０内の電気回路によって配線を集約することで、信号出力端子９１及び電力供給端子９２の数を記録素子基板１０の数に比べて少なくできる。これにより、記録装置１０００に対して液体吐出ヘッド３を組み付ける時又は液体吐出ヘッドの交換時に取り外しが必要な電気接続部数が少なくて済む。図４（ｂ）に示すように、液体吐出ヘッド３の両端部に設けられた液体接続部１１１は、記録装置１０００の液体供給系と接続される。これによりＣＭＹＫ４色のインクが記録装置１０００の供給系から液体吐出ヘッド３に供給され、また液体吐出ヘッド３内を通ったインクが記録装置１０００の供給系へ回収されるようになっている。このように各色のインクは、記録装置１０００の経路と液体吐出ヘッド３の経路を介して循環可能である。
【００２９】
図５に、液体吐出ヘッド３を構成する各部品またはユニットの分解斜視図を示す。液体吐出ユニット３００、液体供給ユニット２２０、及び電気配線基板９０が筐体８０に取り付けられている。液体供給ユニット２２０には液体接続部１１１（図３）が設けられるとともに、液体供給ユニット２２０の内部には、供給されるインク中の異物を取り除くため、液体接続部１１１の各開口と連通する各色別のフィルタ２２１（図２、図３）が設けられている。２つの液体供給ユニット２２０は、それぞれに２色分ずつのフィルタ２２１が設けられている。フィルタ２２１を通過した液体はそれぞれの色に対応して液体供給ユニット２２０上に配置された負圧制御ユニット２３０へ供給される。負圧制御ユニット２３０は、各色別の圧力調整弁からなるユニットである。このユニットは、それぞれの内部に設けられる弁やバネ部材などの働きによって、液体の流量の変動に伴って生じる記録装置１０００の供給系内（液体吐出ヘッド３の上流側の供給系）の圧損変化を大幅に減衰させる。そして、圧力制御ユニットよりも下流側（液体吐出ユニット３００側）の負圧変化をある一定範囲内で安定化することが可能である。各色の負圧制御ユニット２３０内には、図２で記述したように、各色２つの圧力調整弁が内蔵されている。これらはそれぞれ異なる制御圧力に設定され、高圧側が液体吐出ユニット３００内の共通供給流路２１１、低圧側が共通回収流路２１２と、液体供給ユニット２２０を介して連通している。
【００３０】
筐体８０は、液体吐出ユニット支持部８１及び電気配線基板支持部８２とから構成され、液体吐出ユニット３００及び電気配線基板９０を支持するとともに、液体吐出ヘッド３の剛性を確保している。電気配線基板支持部８２は電気配線基板９０を支持する為のものであって、液体吐出ユニット支持部８１にネジ止めによって固定されている。液体吐出ユニット支持部８１は液体吐出ユニット３００の反りや変形を矯正して、複数の記録素子基板１０の相対位置精度を確保する役割を有し、それにより記録物におけるスジやムラを抑制する。そのため液体吐出ユニット支持部８１は、十分な剛性を有することが好ましく、材質としてはＳＵＳやアルミなどの金属材料、もしくはアルミナなどのセラミックが好適である。液体吐出ユニット支持部８１には、ジョイントゴム１００が挿入される開口８３、８４が設けられている。液体供給ユニット２２０から供給される液体はジョイントゴムを介して液体吐出ユニット３００を構成する第３流路部材７０へと導かれる。
【００３１】
液体吐出ユニット３００は、複数の吐出モジュール２００、流路部材２１０からなり、液体吐出ユニット３００の被記録媒体側の面にはカバー部材１３０が取り付けられる。ここで、カバー部材１３０は、図５に示したように、長尺の開口１３１が設けられた額縁状の表面を持つ部材である。開口１３１からは、吐出モジュール２００に含まれる記録素子基板１０及び封止材による封止部１１０（図９）が露出している。開口１３１の周囲の枠部は、記録待機時に液体吐出ヘッド３をキャップするキャップ部材の当接面としての機能を有する。このため、開口１３１の周囲に沿って接着剤、封止材、充填材等を塗布し、液体吐出ユニット３００の吐出口面上の凹凸や隙間を埋めることで、キャップ時に閉空間が形成されるようにすることが好ましい。
【００３２】
次に液体吐出ユニット３００に含まれる流路部材２１０の構成について説明する。図５に示したように、流路部材２１０は、第１流路部材５０、第２流路部材６０、第３流路部材７０を積層したものである。そして、液体供給ユニット２２０から供給された液体を各吐出モジュール２００へと分配し、また吐出モジュール２００から環流する液体を液体供給ユニット２２０へと戻すための部材である。流路部材２１０は液体吐出ユニット支持部８１にネジ止めで固定されており、それにより流路部材２１０の反りや変形が抑制されている。
【００３３】
図６（ａ）〜（ｆ）は第１〜第３流路部材の各流路部材の表面と裏面を示した図である。図６（ａ）は、第１流路部材５０の、吐出モジュール２００が搭載される側の面を示し、図６（ｆ）は、第３流路部材７０の、液体吐出ユニット支持部８１と当接する側の面を示す。第１流路部材５０と第２流路部材６０とは、夫々の流路部材の当接面である図６（ｂ）と図６（ｃ）が対向するように接合し、第２流路部材と第３流路部材とは、夫々の流路部材の当接面である図６（ｄ）と図６（ｅ）が対向するように接合する。第２流路部材６０と第３流路部材７０を接合することにより、夫々の流路部材に形成される共通流路溝６２と７１とによって、流路部材の長手方向に延在する８本の共通流路が形成される。これにより色毎に共通供給流路２１１と共通回収流路２１２のセットが流路部材２１０内に形成される（図７）。第３流路部材７０の連通口７２はジョイントゴム１００の各穴と連通しており、液体供給ユニット２２０と流体的に流通している。第２流路部材６０の共通流路溝６２の底面には連通口６１が複数形成されており、第１流路部材５０の個別流路溝５２の一端部と連通している。第１流路部材５０の個別流路溝５２の他端部には連通口５１が形成されており、連通口５１を介して、複数の吐出モジュール２００と流体的に連通している。この個別流路溝５２により流路部材の中央側へ流路を集約することが可能となる。
【００３４】
第１〜第３流路部材は、液体に対して耐腐食性を有するとともに、線膨張率の低い材質からなることが好ましい。材質としては例えば、アルミナが挙げられる。他にも、ＬＣＰ（液晶ポリマー）、ＰＰＳ（ポリフェニルサルファイド）やＰＳＦ（ポリサルフォン）や変性ＰＰＥ（ポリフェニレンエーテル）を母材としてシリカ微粒子やファイバーなどの無機フィラーを添加した複合材料（樹脂材料）が挙げられる。流路部材２１０の形成方法としては、３つの流路部材を積層させて互いに接着してもよいし、材質として樹脂複合樹脂材料を選択した場合には、溶着による接合方法を用いてもよい。
【００３５】
次に図７を用いて流路部材２１０内の各流路の接続関係について説明する。図７は、第１〜第３流路部材を接合して形成される流路部材２１０内の流路を第１の流路部材５０の、吐出モジュール２００が搭載される面側から一部を拡大してみた透視図である。流路部材２１０には、色毎に液体吐出ヘッド３の長手方向に伸びる共通供給流路２１１（２１１ａ、２１１ｂ、２１１ｃ、２１１ｄ）、及び共通回収流路（２１２ａ、２１２ｂ、２１２ｃ、２１２ｄ）が設けられている。各色の共通供給流路２１１には、個別流路溝５２によって形成される複数の個別供給流路（２１３ａ、２１３ｂ、２１３ｃ、２１３ｄ）が連通口６１を介して接続されている。また、各色の共通回収流路２１２には、個別流路溝５２によって形成される複数の個別回収流路（２１４ａ、２１４ｂ、２１４ｃ、２１４ｄ）が連通口６１を介して接続されている。このような流路構成により各共通供給流路２１１から個別供給流路２１３を介して、流路部材の中央部に位置する記録素子基板１０にインクを集約することができる。また記録素子基板１０から個別回収流路２１４を介して、各共通回収流路２１２にインクを回収することができる。
【００３６】
図８は、図７のＥ−Ｅ線における断面を示した図である。この図に示すように、それぞれの個別回収流路（２１４ａ、２１４ｃ）は連通口５１を介して、吐出モジュール２００と連通している。図８では個別回収流路（２１４ａ、２１４ｃ）のみ図示しているが、別の断面においては、図７に示すように個別供給流路２１３と吐出モジュール２００とが連通している。各吐出モジュール２００に含まれる支持部材３０及び記録素子基板１０には、第１流路部材５０からのインクを記録素子基板１０に設けられるエネルギー発生素子１４（図１０）に供給するための流路が形成されている。また、エネルギー発生素子１４に供給した液体の１部または全部を第１流路部材５０に回収（環流）するための流路が形成されている。ここで、各色の共通供給流路２１１は対応する色の負圧制御ユニット２３０（高圧側）と液体供給ユニット２２０を介して接続されており、また共通回収流路２１２は負圧制御ユニット２３０（低圧側）と液体供給ユニット２２０を介して接続されている。この負圧制御ユニット２３０により、共通供給流路２１１と共通回収流路２１２間に差圧（圧力差）を生じさせるようになっている。このため、図７及び８に示したように各流路を接続した本実施形態の液体吐出ヘッド内では、各色で共通供給流路２１１〜個別供給流路２１３ａ〜記録素子基板１０〜個別回収流路２１３ｂ〜共通回収流路２１２へと順に流れる流れが発生する。
【００３７】
（吐出モジュールの説明）
図９（ａ）に１つの吐出モジュール２００の斜視図を、図９（ｂ）にその分解図を示す。吐出モジュール２００の製造方法としては、まず記録素子基板１０及びフレキシブル配線基板４０を、予め液体連通口３１が設けられた支持部材３０上に接着する。その後、記録素子基板１０上の端子１６と、フレキシブル配線基板４０上の端子４１とをワイヤーボンディングによって電気接続し、その後にワイヤーボンディング部（電気接続部）を封止材で覆って封止部１１０を形成する。フレキシブル配線基板４０の記録素子基板１０と反対側の端子４２は、電気配線基板９０の接続端子９３（図５参照）と電気接続される。支持部材３０は、記録素子基板１０を支持する支持体であるとともに、記録素子基板１０と流路部材２１０とを流体的に連通させる流路部材である為、平面度が高く、また十分に高い信頼性をもって記録素子基板と接合できるものが好ましい。材質としては例えばアルミナや樹脂材料が好ましい。
【００３８】
（記録素子基板の構造の説明）
記録素子基板１０の構成について説明する。図１０（ａ）は記録素子基板１０の吐出口９が形成される側の面の平面図を示し、図１０（ｂ）は図１０（ａ）のＡで示した部分の拡大図を示し、図１０（ｃ）は図１０（ａ）の裏面の平面図を示す。図１０（ａ）に示すように、記録素子基板１０の吐出口形成部材１２に、各インク色に対応する４列の吐出口列が形成されている。なお、以後、複数の吐出口９が配列される吐出口列が延びる方向を「吐出口列方向」と呼称する。
【００３９】
図１０（ｂ）に示すように、各吐出口９に対応した位置には液体を熱エネルギーにより発泡させるための発熱素子であるエネルギー発生素子１４が配置されている。隔壁２２により、エネルギー発生素子１４を内部に備える圧力室２３が区画されている。エネルギー発生素子１４は、記録素子基板１０に設けられる電気配線（不図示）によって、図１０（ａ）の端子１６と電気的に接続されている。そして、記録装置１０００の制御回路から、電気配線基板９０（図５）及びフレキシブル配線基板４０（図９）を介して入力されるパルス信号に基づいて発熱して液体を沸騰させる。この沸騰による発泡の力で液体を吐出口９から吐出する。図１０（ｂ）に示すように、各吐出口列に沿って、一方の側には供給流路１８が、他方の側には回収流路１９が延在している。供給流路１８及び回収流路１９は記録素子基板１０に設けられた吐出口列方向に伸びた流路であり、それぞれ供給口１７ａ、回収口１７ｂを介して吐出口９と連通している。
【００４０】
図１０（ｃ）および図１１に示すように、記録素子基板１０の、吐出口９が形成される面の裏面にはシート状の蓋部材２０が積層されており、蓋部材２０には、後述する供給流路１８及び回収流路１９に連通する開口２１が複数設けられている。本実施形態においては、供給流路１８の１本に対して３個、回収流路１９の１本に対して２個の開口２１が蓋部材２０に設けられている。図１０（ｂ）に示すように蓋部材２０の夫々の開口２１は、図６（ａ）に示した複数の連通口５１と連通している。図１１に示すように蓋部材２０は、記録素子基板１０の基板１１に形成される供給流路１８及び回収流路１９の壁の一部を形成する蓋としての機能を有する。蓋部材２０は、液体に対して十分な耐食性を有している物が好ましく、また、混色防止の観点から、開口２１の開口形状および開口位置には高い精度が求められる。このため蓋部材２０の材質として、感光性樹脂材料やシリコン板を用い、フォトリソプロセスによって開口２１を設けることが好ましい。このように蓋部材は開口２１により流路のピッチを変換するものであり、圧力損失を考慮すると厚みは薄いことが好ましく、フィルム状の部材で構成されることが好ましい。
【００４１】
次に、記録素子基板１０内での液体の流れについて説明する。図１１は、図１０（ａ）におけるＢ−Ｂ面での記録素子基板１０および蓋部材２０の断面を示す斜視図である。記録素子基板１０はＳｉにより形成される基板１１と感光性の樹脂により形成される吐出口形成部材１２とが積層されており、基板１１の裏面には蓋部材２０が接合されている。基板１１の一方の面側にはエネルギー発生素子１４が形成されており（図１０）、その裏面側には、吐出口列に沿って延在する供給流路１８および回収流路１９を構成する溝が形成されている。基板１１と蓋部材２０によって形成される供給流路１８及び回収流路１９はそれぞれ、流路部材２１０内の共通供給流路２１１と共通回収流路２１２と接続されており、供給流路１８と回収流路１９との間には差圧が生じている。液体吐出ヘッド３の複数の吐出口９から液体を吐出し記録を行っている際の、吐出動作を行っていない吐出口について述べる。この吐出口おいては、上述の差圧によって、基板１１内に設けられた供給流路１８内の液体は、供給口１７ａ、圧力室２３、回収口１７ｂを経由して回収流路１９へ流れる（図１０の矢印Ｃで示した流れ）。この流れによって、記録を休止している吐出口９や圧力室２３において、吐出口９からの蒸発によって生じる増粘インクや、泡・異物などを回収流路１９へ回収することができる。また吐出口９や圧力室２３のインクの増粘を抑制することができる。回収流路１９へ回収された液体は、蓋部材２０の開口２１及び支持部材３０の液体連通口３１（図９ｂ参照）を通じて、流路部材２１０内の連通口５１、個別回収流路２１４、共通回収流路２１２の順に回収される。そして、最終的には記録装置１０００の供給経路へと回収される。
【００４２】
即ち、記録装置本体から液体吐出ヘッド３へ供給される液体は下記の順に流動し、供給および回収される。液体は、まず液体供給ユニット２２０の液体接続部１１１から液体吐出ヘッド３の内部に供給される。そして、ジョイントゴム１００、第３流路部材に設けられた連通口７２および共通流路溝７１、第２流路部材に設けられた共通流路溝６２および連通口６１、第１流路部材に設けられた個別流路溝５２および連通口５１の順に供給される。その後、支持部材３０に設けられた液体連通口３１、蓋部材に設けられた開口２１、基板１１に設けられた供給流路１８および供給口１７ａを順に介して、圧力室２３に供給される。圧力室２３に供給された液体のうち、吐出口９から吐出されなかった液体は、基板１１に設けられた回収口１７ｂおよび回収流路１９、蓋部材に設けられた開口２１、支持部材３０に設けられた液体連通口３１を順に流れる。その後、第１流路部材に設けられた連通口５１および個別流路溝５２、第２流路部材に設けられた連通口６１および共通流路溝６２、第３流路部材７０に設けられた共通流路溝７１および連通口７２、ジョイントゴム１００を順に流れる。そして、液体供給ユニットに設けられた液体接続部１１１から液体吐出ヘッド３の外部へ液体が流動する。図２に示す第１の循環経路の形態においては、液体接続部１１１から供給された液体は負圧制御ユニット２３０を経由した後にジョイントゴム１００に供給され、図３に示す第２の循環経路の形態では次のようになる。即ち、圧力室２３から回収された液体は、ジョイントゴム１００を通過した後、負圧制御ユニット２３０を介して液体接続部１１１から液体吐出ヘッドの外部へ流動する。
【００４３】
また、図２および図３に示すように、液体吐出ユニット３００の共通供給流路２１１の一端から供給された全ての液体が個別供給流路２１３ａを経由して圧力室２３に供給されるわけではない。個別供給流路２１３ａに供給されることなく、共通供給流路２１１の他端から液体供給ユニット２２０に流動する液体もある。このように、記録素子基板１０を経由することなく流動する経路を備える。このようにすることで、本実施形態のような微細で流抵抗の大きい流路を備える記録素子基板１０を備える場合であっても、液体の循環流の逆流を抑制することができる。このようにして、本実施形態の液体吐出ヘッドでは、圧力室や吐出口近傍部の液体の増粘を抑制できるので吐出のヨレや不吐を抑制でき、結果として高画質な記録を行うことができる。
【００４４】
（記録素子基板間の位置関係の説明）
図１２は、隣り合う２つの吐出モジュールにおける、記録素子基板の隣接部を部分的に拡大して示す平面図である。図１０に示すように、本実施形態では略平行四辺形の記録素子基板を用いている。図１２に示すように、各記録素子基板１０における吐出口９が配列される各吐出口列（１４ａ〜１４ｄ）は、被記録媒体の搬送方向に対し一定角度傾くように配置されている。これによって、記録素子基板１０同士の隣接部における吐出列は、少なくとも１つの吐出口が被記録媒体の搬送方向にオーバーラップするようになっている。図１２では、Ｄ線上の２つの吐出口が互いにオーバーラップ関係にある。このような配置によって、仮に記録素子基板１０の位置が所定位置から多少ずれた場合でも、オーバーラップする吐出口の駆動制御によって、記録画像の黒スジや白抜けを目立たなくすることができる。複数の記録素子基板１０を千鳥配置ではなく、直線状（インライン）に配置した場合においても、図１２のような構成により液体吐出ヘッド３の被記録媒体の搬送方向の長さの増大を抑えることができる。さらに、記録素子基板１０同士のつなぎ部における黒スジや白抜け対策を行うことができる。なお、本実施形態では記録素子基板の主平面は平行四辺形であるが、本発明はこれに限るものではない。例えば長方形、台形、その他形状の記録素子基板を用いた場合でも、本発明の構成を好ましく適用することができる。
【００４５】
＜他の適用例＞
本発明の他の適用例（第２の適用例とする）によるインクジェット記録装置１０００及び液体吐出ヘッド３の構成を説明する。なお以降の説明においては、主として上記の例（第１の適用例とする）と異なる部分のみを説明し、第１の適用例と同様の部分については説明を省略する。
【００４６】
（インクジェット記録装置の説明）
本発明の第２の適用例によるインクジェット記録装置では、第１の適用例と同様に、各液体吐出ヘッド３に対して、記録装置１０００の供給系、バッファタンク１００３、及びメインタンク１００６（図２）が流体的に接続されている。また、それぞれの液体吐出ヘッド３には、液体吐出ヘッド３へ電力及び吐出制御信号を伝送する電気制御部が電気的に接続されている。
【００４７】
（循環経路の説明）
第１の適用例と同様に、記録装置１０００と液体吐出ヘッド３の間の液体循環経路としては、図２又は図３に示した第１及び第２の循環経路を用いることができる。
【００４８】
（液体吐出ヘッド構造の説明）
本発明の第２の適用例に係る液体吐出ヘッド３の構造について説明する。図１３（ａ）及び１３（ｂ）は本適用例に係る液体吐出ヘッド３の斜視図である。液体吐出ヘッド３は液体吐出ヘッド３の長手方向に直線上に配列される１６個の記録素子基板１０を備えたインクジェット式のライン型記録ヘッドである。液体吐出ヘッド３は、第１の適用例と同様に、液体接続部１１１、信号入力端子９１、及び電力供給端子９２を備えている。しかしながら本適用例の液体吐出ヘッド３は、第１の適用例に比べて吐出口列が多いため、液体吐出ヘッド３の両側に信号出力端子９１及び電力供給端子９２が配置されている。これは記録素子基板１０に設けられる配線部で生じる電圧低下や信号伝送遅れの低減のためである。
【００４９】
図１４は液体吐出ヘッド３の分解斜視図であり、液体吐出ヘッド３を構成する各部品またはユニットがその機能毎に分割されて表示されている。各ユニット及び部材の役割や液体吐出ヘッド内の液体流通の順序は基本的に第１の適用例と同様であるが、液体吐出ヘッドの剛性を担保する機能が異なる。第１の適用例では主として液体吐出ユニット支持部８１によって液体吐出ヘッドの剛性を担保していたが、第２の適用例の液体吐出ヘッドでは、液体吐出ユニット３００に含まれる第２流路部材６０によって液体吐出ヘッドの剛性を担保している。本適用例における液体吐出ユニット支持部８１は第２流路部材６０の両端部に接続されており、この液体吐出ユニット３００は記録装置１０００のキャリッジと機械的に結合されて、液体吐出ヘッド３の位置決めを行う。負圧制御ユニット２３０を備える液体供給ユニット２２０と、電気配線基板９０は、液体吐出ユニット支持部８１に結合される。２つの液体供給ユニット２２０内にはそれぞれフィルタ（不図示）が内蔵されている。２つの負圧制御ユニット２３０は、それぞれ異なる圧力を設定するものであり、負圧であるが相対的に高い圧力にする負圧制御ユニット２３０と、負圧であって相対的に低い圧力にする負圧制御ユニット２３０である。この図のように液体吐出ヘッド３の両端部にそれぞれ、高圧側と低圧側の負圧制御ユニット２３０を設置した場合、液体吐出ヘッド３の長手方向に延在する共通供給流路２１１と共通回収流路２１２における液体の流れが互いに対向する。このようにすると、共通供給流路２１１と共通回収流路２１２の間で熱交換が促進されて、２つの共通流路内における温度差が低減されるので、共通流路に沿って複数設けられる各記録素子基板１０における温度差が付きにくくなる。その結果、温度差による記録ムラが生じにくくなるという利点がある。
【００５０】
次に液体吐出ユニット３００の流路部材２１０の詳細について説明する。図１４に示すように、流路部材２１０は、第１流路部材５０、第２流路部材６０を積層したものであり、液体供給ユニット２２０から供給された液体を各吐出モジュール２００へと分配する。また流路部材２１０は、吐出モジュール２００から環流する液体を液体供給ユニット２２０へと戻すための流路部材として機能する。流路部材２１０の第２流路部材６０は、内部に共通供給流路２１１及び共通回収流路２１２が形成された流路部材であるとともに、液体吐出ヘッド３の剛性を主に担うという機能を有する。このため、第２流路部材６０の材質としては、液体に対する十分な耐食性と高い機械強度を有するものが好ましい。具体的にはステンレスやＴｉやアルミナなどを好ましく用いることができる。
【００５１】
図１５（ａ）は第１流路部材５０の、吐出モジュール２００がマウントされる側の面を示し、図１５（ｂ）はその裏面である、第２流路部材６０と当接される側の面を示した図である。第１の適用例とは異なり、第２の適用例における第１流路部材５０は、吐出モジュール２００毎に対応した複数の部材を隣接して配列したものである。このように分割した構造を採ることで、複数のモジュールを配列させて、液体吐出ヘッドの長さに対応することが出来るので、例えばＢ２サイズ及びそれ以上の長さに対応した比較的ロングスケールの液体吐出ヘッドに特に好適に適用できる。図１５（ａ）に示すように、第１流路部材５０の連通口５１は吐出モジュール２００と流体的に連通し、図１５（ｂ）に示すように、第１流路部材５０の個別連通口５３は第２流路部材６０の連通口６１と流体的に連通する。図１５（ｃ）は第２流路部材６０の、第１流路部材５０と当接される側の面を示し、図１５（ｄ）は第２流路部材６０の厚み方向中央部の断面を示し、図１５（ｅ）は第２流路部材６０の、液体供給ユニット２２０と当接する側の面を示す図である。第２流路部材６０の流路や連通口の機能は、第１の適用例の１色分の機能と同様である。第２流路部材６０の共通流路溝７１は、その一方が図１６に示す共通供給流路２１１であり、他方が共通回収流路２１２であり、夫々、液体吐出ヘッド３の長手方向に沿って、一端側から他端側に液体が供給される。本適用例においては、第１の適用例と異なり、共通供給流路２１１と共通回収流路２１２の液体の流れ方向は互いに反対方向である。
【００５２】
図１６は、記録素子基板１０と流路部材２１０との液体の接続関係を示した透視図である。図１６に示したように、流路部材２１０内には、液体吐出ヘッド３の長手方向に延びる１組の共通供給流路２１１及び共通回収流路２１２が設けられている。第２流路部材６０の連通口６１は、各々の第１流路部材５０の個別連通口５３と位置を合わせて接続されており、第２流路部材６０の連通口７２から共通供給流路２１１を介して第１流路部材５０の連通口５１へと連通する液体供給経路が形成されている。同様に、第２流路部材６０の連通口７２から共通回収流路２１２を介して第１流路部材５０の連通口５１へと連通する液体供給経路も形成されている。
【００５３】
図１７は、図１６のＦ−Ｆ線における断面を示した図である。この図に示したように、共通供給流路は、連通口６１、個別連通口５３、連通口５１を介して、吐出モジュール２００へ接続されている。図８では不図示であるが、別の断面においては、個別回収流路が同様の経路で吐出モジュール２００へ接続されていることは、図１６を参照すれば明らかである。第１の適用例と同様に、各吐出モジュール２００及び記録素子基板１０には、各吐出口９に連通する流路が形成されており、供給した液体の一部または全部が、吐出動作を休止している吐出口９（圧力室２３）を通過して、環流できるようになっている。また第１の適用例と同様に、共通供給流路２１１は負圧制御ユニット２３０（高圧側）と、共通回収流路２１２は負圧制御ユニット２３０（低圧側）と、液体供給ユニット２２０を介してそれぞれ接続されている。従って、それらの差圧によって、共通供給流路２１１から記録素子基板１０の吐出口９（圧力室２３）を通過して共通回収流路２１２へ至る流れが発生する。
【００５４】
（吐出モジュールの説明）
図１８（ａ）に、１つの吐出モジュール２００の斜視図を、図１８（ｂ）にその分解図を示す。第１の適用例と異なり、記録素子基板１０の複数の吐出口列方向に沿った両辺部（記録素子基板１０の各長辺部）に複数の端子１６がそれぞれ配置され、それらに電気接続されるフレキシブル配線基板４０も、１つの記録素子基板１０に対して２枚配置される。これは、記録素子基板１０に設けられる吐出口列数が例えば２０列であり、第１の適用例の８列よりも大幅に増加しているためである。即ち、端子１６から、吐出口列に対応して設けられるエネルギー発生素子１４までの最大距離を短く抑制して、記録素子基板１０内の配線部で生じる電圧低下や信号伝送遅れを低減することを目的としている。また支持部材３０の液体連通口３１は、記録素子基板１０に設けられた全吐出口列に跨がって開口している。その他の点は、第１の適用例と同様である。
【００５５】
（記録素子基板の構造の説明）
図１９（ａ）は記録素子基板１０の吐出口９が配される側の面の模式図、図１９（ｃ）は図１９（ａ）の面の裏面を示す模式図である。図１９（ｂ）は、図１９（ｃ）において記録素子基板１０の裏面側に設けられている蓋部材２０を除去した状態の記録素子基板１０の面を示す模式図である。図１９（ｂ）に示すように、記録素子基板１０の裏面には吐出口列方向に沿って、供給流路１８と回収流路１９とが交互に設けられている。吐出口列数は第１の適用例よりも大幅に増加しているものの、第１の適用例との本質的な差異は、前述のように端子１６が記録素子基板の吐出口列方向に沿った両辺部に配置されていることである。吐出口列毎に一組の供給流路１８と回収流路１９が設けられていること、蓋部材２０に、支持部材３０の液体連通口３１と連通する開口２１が設けられていることなど、基本的な構成は第１の適用例と同様である。
【００５６】
＜液体吐出ヘッド構成の変形例＞
図３０〜図３３を用いて、上述した液体吐出ヘッド構成の変形例（第３の適用例）について説明する。上述した例と同様な構成、機能については説明を省略し、異なる点について主体的に説明する。本例は、図３０、図３１に示すように液体吐出ヘッド３と外部との液体の接続部である複数の液体接続部１１１は、液体吐出ヘッドの長手方向の一端側に集約して配置されている。液体吐出ヘッド３の他端側には複数の負圧制御ユニット２３０を集約して配置している（図３２）。液体吐出ヘッド３に含まれる液体供給ユニット２２０は、液体吐出ヘッド３の長さに対応した長尺状のユニットとして構成され、供給する４色の液体に対応した流路およびフィルタ２２１を備える。図３２に示すように、液体吐出ユニット支持部８１に設けられる開口８３〜開口８６の位置も上述した液体吐出ヘッド３とは異なる位置に設けられている。
【００５７】
図３３に流路部材５０，６０，７０の積層状態を示す。複数の流路部材５０，６０、７０の最上層である流路部材５０の上面に複数の記録素子基板１０が直線状に配列される。各記録素子基板１０の裏面側に形成される開口２１（図１９）に連通する流路は、液体の色ごとに、個別供給流路２１３が２つ、個別回収流路２１４が１つとなっている。これに対応して、記録素子基板１０の裏面に設けられる蓋部材２０に形成される開口２１も、液体の色ごとに供給用の開口２１が２つ、回収用の開口２１が１つとなっている。図３３に示すように、液体吐出ヘッド３の長手方向に沿って延在する共通供給流路２１１と共通回収流路２１２とが交互に並列されている。
【００５８】
＜インクの循環と水分少インク＞
以下、これまで説明した液体吐出ヘッドに関して、インクの循環と水分量の少ない水分少インクについて説明する。
【００５９】
（ノズル近傍の説明）
図２０は、本実施形態におけるインク等の液体を吐出する液体吐出ヘッドの吐出口近傍を詳細に説明する模式図である。図２０（ａ）は吐出口から液滴が吐出される吐出方向から見た平面図、図２０（ｂ）は図２０（ａ）におけるＡ−Ａ´断面図、図２０（ｃ）は図２０（ａ）のＡ−Ａ´断面の斜視図である。
【００６０】
図２０（ａ）〜（ｃ）において、液体吐出ヘッド３（図３参照）には、液体を吐出する吐出口９、流路１３、流路１３中に形成される、液体を吐出するために利用されるエネルギーを発生するエネルギー発生素子１４が形成されている。流路１３には一端側から他端側にインク供給が行われ、吐出口９は流路の一端側と他端側との間の領域に形成されている。吐出口９にはインクのメニスカスが張っており、インクと大気との界面である吐出口界面２４が形成されている。エネルギー発生素子１４である電気熱変換素子（ヒータ）を駆動することにより、液体中に気泡が発生して吐出口９から液体が吐出される。本実施形態においてエネルギー発生素子としてヒータを適用した例で説明するが、本発明はこれに限定されず、例えば圧電素子等の各種エネルギー発生素子を適用可能である。液体吐出ヘッドには流路１３と交差する方向に延在する供給流路１８及び回収流路１９が貫通孔として形成されている。さらに供給流路１８は、外部から液体吐出ヘッドへの液体の入口である第３共通供給流路（供給開口）と連通しており、回収流路１９は液体吐出ヘッドから外部への液体の出口である第３共通回収流路（回収開口）と連通している。このように液体吐出ヘッド３には、第３共通供給流路（供給開口）、供給流路１８、流路１３、吐出口９、流路１３、回収流路１９、第３共通回収流路（回収開口）といった順に液体が供給される液路が形成されている。本実施形態においては後述するように、第３共通回収流路（回収開口）から液体吐出ヘッドの外部に回収された液体が再度、液体吐出ヘッドの第３共通供給流路に供給される、いわゆる循環経路が形成され、液体吐出ヘッドには循環流１７が形成される。本実施形態においては、流路１３にインクが流れている状態でエネルギー発生素子１４を駆動して吐出口９から液滴を吐出させる。流路１３を流れる循環流の速度は例えば０．１ｍｍ／ｓ以上、１００ｍｍ／ｓ以下であり、インクが流れた状態で吐出動作を行っても、着弾精度等の影響は少ない。
【００６１】
図２０（ｂ）において、シリコン（Ｓｉ）によって構成される基板１１にはエネルギー発生素子１４が形成されており、吐出口形成部材１２には液体を吐出する吐出口９と、吐出口９と流路１３とを連通する吐出口部２が形成されている。つまり、吐出口は吐出口形成部材１２の表面（液滴が吐出される側の面）に形成される開口部であり、吐出口部は、吐出口９と流路１３とを接続する筒状の部分を示す。
【００６２】
（Ｐ、Ｗ、Ｈの関係について）
上述のように、本発明では、エネルギー発生素子が配される（を有する）流路の内部の液体が、流路の外部との間で循環される。次に、本実施形態における液体吐出ヘッドの流路の高さとオリフィスプレートの厚みと吐出口の長さの関係及びその液体吐出ヘッドにおけるインクの供給方法について説明する。
【００６３】
図２０（ｂ）に示すように、流路１３と吐出口部２との連通部分における、流路１３内の液体の流れ方向に関する上流側での流路１３の高さをＨ、吐出口９から液体が吐出される方向における吐出口部２の長さをＰと定義する。また、流路１３内の液体の流れ方向に関する吐出口部２の長さをＷと定義する。本実施形態において、Ｈは３〜３０ｕｍ、Ｐは３〜３０ｕｍ、Ｗは６〜３０ｕｍで構成し、不揮発性溶媒濃度が３０％、色材濃度が３％で、粘度が０．００２〜０．００３Ｐａ・ｓに調整されているインクを使用した。
【００６４】
図２１は、液体吐出ヘッド３内を流れる循環流１７が定常状態になった際の吐出口９、吐出口部２、及び流路１３における循環流１７の流れの様子を表したものである。なお、この図においてベクトルの長さは速度の量を表すものではなく、全ての速度値に対して一定とする。図２１において、Ｈが１４ｕｍ、Ｐが５ｕｍ、Ｗが１２．４ｕｍの形状の液体吐出ヘッドに、供給流路１８から１．２６×１０−４ｍｌ／ｍｉｎのインクが流路１３に供給された際の流れを矢印で示す。
【００６５】
本実施形態は、吐出口からのインクの蒸発により色材濃度変化が生じたインクが、吐出口９及び吐出口部２に滞留することを抑制するため以下のようになっている。つまり、本実施形態の液体吐出ヘッドは、図２１に示すように流路１３内を流れるインクの循環流１７が吐出口部２の内部に流れ込み、吐出口界面２４の近傍まで達した後に、吐出口部２を介して流路１３に戻る循環流が形成されている。流路１３に戻ったインクは回収流路１９を介して第３共通回収流路から液体吐出ヘッドの外部へ回収される。このように循環流が吐出口部２の内部に入り込み、吐出口に形成されたメニスカス位置（メニスカス界面近傍）まで到達した後に再度流路１３に戻る流れを形成する。これにより蒸発の影響を受けやすい吐出口部２だけでなく、蒸発の影響が特に大きい吐出口界面２４近傍のインクまでもが、吐出口部２の内部に滞ることなく流路１３へと流れ出すことが可能となる。
【００６６】
ここで、本実施形態の循環流１７は吐出口界面２４近傍における少なくとも中央部（吐出口の中心部）において、流路１３内のインクの流れ方向（図２１における左から右方向）の速度成分（以降、正の速度成分と呼ぶ）を持つことが特徴的である。なお本明細書においては、図２１に示すような、吐出口界面２４の少なくとも中央部において循環流１７が正の速度成分を持つ流れのモードを流れモードＡと呼ぶ。また、後述するように、比較列として示す図２３（ｂ）（ｄ）のように、吐出口界面２４の中央部で正の速度成分とは逆の、負の速度成分（図２３（ｂ）における右から左の方向）を持つ流れのモードを流れモードＢと呼ぶこととする。
【００６７】
本発明者らの検討により、本実施形態における流れモードＡの液体吐出ヘッドは、蒸発により色材濃度変化が生じたインクが吐出口９に滞留することを低減するように、以下の式を満たすことがわかった。つまり、図２０における流路高さＨ（流路１３と吐出口部２が連通している箇所の上流側近傍の流路高さ）と、吐出口長さＰと、吐出口の幅Ｗが下記関係式（１）を満たしている。
【００６８】
Ｈ―０．３４×Ｐ−０．６６×Ｗ＞１．７・・・関係式（１）
ここで上記関係式（１）の左辺を判定値Ｊと呼ぶ。我々の検討で関係式（１）を満たす液体吐出ヘッドは、図２１に示すような流れモードＡになり、流れモードＢの液体吐出ヘッドは関係式（１）を満たさないことが解明された。関係式（１）について図２２から図２４を用いて説明する。
【００６９】
図２２は流れモードＡになる液体吐出ヘッドと流れモードＢになる液体吐出ヘッドの関係を示す図である。図２２の横軸はＰとＨの比（Ｐ／Ｈ）であり、縦軸はＷとＰの比（Ｗ／Ｐ）である。２０はしきい線であり、下記関係式（２）を満たす線である。
【００７０】
【数１】
2020059168.tif 000003
【００７１】
ここで、ＨとＰとＷの関係が図２２のグラフのしきい線２０の上部（実斜線の領域）となる液体吐出ヘッドでは流れモードＡとなり、しきい線２０の下部となる液体吐出ヘッドでは流れモードＢとなることが分かった。つまり、下記関係式（３）を満たす液体吐出ヘッドにおいて流れモードＡとなる。
【００７２】
【数２】
2020059168.tif 000004
【００７３】
関係式（３）を整理すると関係式（１）となることから、ＨとＰとＷの関係が関係式（１）を満たすヘッド（判定値Ｊが１．７以上のヘッド）は流れモードＡとなる。
上記関係について図２３と図２４を用いて確認する。図２３の各液体吐出ヘッドは、図２２においてしきい線２０の上部と下部のそれぞれの領域となる液体吐出ヘッドにおける、吐出口部２近傍の循環流１７の様子の例を示す。図２４は、様々な供給路の形状の液体吐出ヘッドについて流れの様子を確認して、流れモードＡになるのか、流れモードＢになるのかを判定した結果を示す。図２４において、●印は流れモードＡとなった液体吐出ヘッドで、×印は流れモードＢとなった液体吐出ヘッドである。
【００７４】
図２３（ａ）はＨが３ｕｍ、Ｐが９ｕｍ、Ｗが１２ｕｍの形状の液体吐出ヘッドで、関係式（１）の左辺である判定値Ｊは１．９３となり１．７より大きい。実際の循環流の流れを確認したところ図２３（ａ）に示すように流れモードＡとなっている。図２４では点Ａに対応する。次に図２３（ｂ）は、Ｈが８ｕｍ、Ｐが９ｕｍ、Ｗが１２ｕｍの形状の液体吐出ヘッドで、判定値は１．３９となり１．７より小さい。実際の循環流の流れも流れモードＢとなっている。図２４では点Ｂに対応する。図２３（ｃ）は、Ｈが６ｕｍ、Ｐが６ｕｍ、Ｗが１２ｕｍの形状の液体吐出ヘッドで、判定値は２．０となり１．７より大きい。実際の循環流の流れも流れモードＡとなっている。図２４では点Ｃに対応する。最後に図２３（ｄ）は、Ｈが６ｕｍ、Ｐが６ｕｍ、Ｗが６ｕｍの形状の液体吐出ヘッドで、判定値は１．０となり１．７より小さい。実際の循環流の流れは流れモードＢとなっている。図２４では点Ｄに対応する。
【００７５】
このように、図２２のしきい線２０を境界として、流れモードＡになる液体吐出ヘッドと流れモードＢになる液体吐出ヘッドを分けることができる。つまり、関係式（１）の判定値Ｊが１．７より大きい液体吐出ヘッドでは流れモードＡとなり、吐出口界面２４の少なくとも中央部では循環流１７が正の速度成分を持つ。
【００７６】
なお吐出口内の循環流１７の流れが流れモードＡになるのか流れモードＢになるのかについては、上記のＰ、Ｗ、Ｈの条件が支配的な影響を及ぼす。これらの条件以外に、例えば循環流１７の流速、インクの粘度、循環流１７の流れの方向と垂直方向の吐出口９の幅（Ｗと直交する方向の吐出口の長さ）といった条件については、Ｐ、Ｗ、Ｈに比べて影響が非常に小さい。よって、循環流速やインクの粘度については要求される液体吐出ヘッド（インクジェット記録装置）の仕様や使用される環境条件に合わせて適宜設定すればよい。また使用時の環境変化等により吐出口からのインクの蒸発量が増加する場合には、循環流１７の流量を適宜多くすることで流れモードＡとすることができる。仮に流れモードＢの液体吐出ヘッドについて、流量をいくら多くしても流れモードＡにはならない。つまり、モードＡになるのか流れモードＢになるのかは、インクの流速やインクの粘度の条件ではなく、上述した体吐出ヘッドのＨ、Ｐ、Ｗの条件が支配的となる。また、流れモードＡになる各種液体吐出ヘッドの中でも、特にＨが２０ｕｍ以下、Ｐが２０ｕｍ以下、Ｗが３０ｕｍ以下となる液体吐出ヘッドは、より高精細な画像形成が可能となり好ましい。
【００７７】
関係式（１）は、
Ｈ―０．３４×Ｐ−０．６６×Ｗ＞１．７・・・関係式（１）
であるが、本発明においては、下記関係式（４）を満たすことでも、流路内を流れるインクが、吐出口部内に流れ込み、吐出口部のオリフィスプレート厚の少なくとも半分の位置まで達した後に、再び流路に戻る流れとなる。
Ｈ―０．３４×Ｐ−０．６６×Ｗ＞１．５・・・関係式（４）
但し、関係式（３）を満たす方が、循環の観点でより好ましい。
【００７８】
（Ｐ、Ｗ、Ｈと水分少インクの関係について）
水性顔料インクを使用する以上、特に被記録媒体が普通紙であったりすると、カールやコックリングといった課題が発生しやすい。このような課題に対する対策として、水分量を低減したインクを吐出する手段がある。図２５は、水分量が６５ｗｔ％と相対的に少ないインク（水分少インク）と、水分量が７５ｗｔ％と相対的に多いインク（水分多インク）の、水分蒸発率に対する粘度の変化を示した図である。図２５に示すように、水分量が少ないインクは、溶剤や固形分（顔料や樹脂エマルジョンおよび樹脂など）の濃度が高くなるため、水分蒸発に伴い急激な粘度上昇が生じる。特に液体の固形分量が１０ｗｔ％以上であると、粘度上昇が生じやすい。急激な粘度上昇は、紙面上では滲みや裏抜けを防止し、オフィスプリンターとしての高速印字性と両面対応性の向上に繋がる。一方で、吐出口内では、吐出口からのインクの蒸発に伴って粘度が上昇するため、そのままでは画像の色ムラが発生しやすくなる。これに対し、エネルギー発生素子が配される流路（圧力室）の内部の液体を外部との間で循環させる、即ち循環流を発生させることで、流路（圧力室）内でのインクの粘度上昇を抑制することができる。
【００７９】
図２６（Ａ）、（Ｂ）、（Ｃ）は、それぞれ圧力室内の濃縮分布を示した図である。いずれにおいても、インクは水分量が少ないインク（固形分量１０ｗｔ％、溶剤量３０ｗｔ％、水分量６０ｗｔ％）である。濃縮分布は、粘度の大小で表現している。図２６（Ａ）は、Ｐ＝８μｍ、Ｗ＝１６μｍ、Ｈ＝１６μｍで、判定値Ｊ＝１．５８の流れモードＢの条件で、循環流０ｍｍ／ｓの濃縮結果である。図２６（Ｂ）は、Ｐ＝８μｍ、Ｗ＝１６μｍ、Ｈ＝１６μｍで、判定値Ｊ＝１．５８の流れモードＢの条件で、循環流１ｍｍ／ｓの濃縮結果である。図２６（Ｃ）は、Ｐ＝６μｍ、Ｗ＝１６μｍ、Ｈ＝１８μｍで、判定値Ｊ＝２．１５の流れモードＡの条件で、循環流１ｍｍ／ｓの濃縮結果である。
【００８０】
図２６（Ａ）に示すように、水分量が少ないインクで循環流がない場合、濃縮が進行したインクは吐出口側から拡散し、濃縮が圧力室内まで進行した状態となる。水分量が少ないインクは、水分蒸発時の増粘が大きいため、このような状態になると正常な吐出を維持することが困難になる。一方、水分量が多いインクの場合、同様に流路から吐出口までのインクが濃縮するが、図２５に示すように水分蒸発時の増粘が小さいため、吐出への影響は小さい。
【００８１】
図２６（Ｂ）に示すように、水分量が少ないインクで循環流が生じる場合、圧力室内および吐出口の一部に循環流が供給されるため、濃縮が抑制される。したがって、水分量が少ないインクの場合、圧力室内を循環し、特に吐出口内部に循環流が供給される手段が有効である。しかし、循環流の流れが流れモードＢであると、吐出口に形成されたメニスカス位置（メニスカス界面近傍）まで循環流が流れにくい。そして、水分蒸発時の増粘が大きいため、メニスカス界面近傍の濃縮は残り、インクが増粘する。更に水分量が少ないインクの場合、濃縮後の正常な吐出を維持することは困難な場合がある。このような場合には、流れモードＡとすることが好ましい。
【００８２】
図２６（Ｃ）に示すように、水分量が少ないインクで循環流が生じ、循環流の流れが流れモードＡの場合、吐出口に形成されたメニスカス位置（メニスカス界面近傍）まで循環流が流入しやすい。そのため、水分蒸発時の増粘が大きくても、メニスカス界面近傍のインク濃縮が抑制される。したがって、水分量が少ないインクの場合、流れモードＡは濃縮の抑制に非常に有効であることがわかる。更に水分量が少ないインク（例えば水分５５ｗｔ％）でも、吐出口に形成されたメニスカス位置（メニスカス界面近傍）まで循環流が流入するため、濃縮後の正常な吐出を維持することが可能になる。
【００８３】
尚、本発明の「水分量の少ないインク」とは、インクが含有する水分の量（水分量）が６５ｗｔ％以下のインクである。より課題が発生しやすく、本発明の効果を発現しやすいインクは、水分量が６０ｗｔ％以下のインクであり、さらに課題が発生しやすく効果を発現しやすいインクは、水分量が５５ｗｔ％以下のインクである。
【００８４】
以上説明した通り、水分が少ないインクの場合、エネルギー発生素子が配される流路（圧力室）の内部の液体を外部との間で循環させることは、濃縮抑制に有効である。特にＨが２０μｍ以下、Ｐが２０μｍ以下、Ｗが３０μｍ以下となる液体吐出ヘッド３であって、上記関係式（４）を満たすことが好ましく、より好ましくは上記関係式（１）を満たすことである。これによりインクの水分量が小さい場合においても形成する画像の色ムラを低減することが可能となる。
【００８５】
上述したインクの水分量の値は、外部から液体吐出ヘッド３の内部に供給された部分から吐出口９までの経路中におけるインクの水分量である。しかしながらこの部位におけるインクの水分量の値は、メインタンク１００６（図２、図３）内のインクの水分量の値と実質的に等しいため、メインタンク１００６内の水分量を測定しても良い。
【００８６】
尚、図２６は、図２０に示すような開口が真円の形状をした吐出口での濃縮結果を示したものであるが、本発明は吐出口の開口の形状が真円に限って成り立つものではない。図２７（Ａ）は、突起物を有する液体吐出ヘッドの上面図、図２７（Ｂ）はそのＡ−Ａ´における断面図である。また、図２７（Ｃ）は、突起物を有する液体吐出ヘッドの上面図、図２７（Ｄ）はそのＡ−Ａ´における断面図である。図２７に示すように、吐出口の中心（内側）に向かって突出するような突起物が、循環流と平行に位置していてもよい。
【００８７】
また、図２８（Ａ）は、突起物を有する液体吐出ヘッドの上面図、図２８（Ｂ）はそのＡ−Ａ´における断面図である。また、図２８（Ｃ）は、突起物を有する液体吐出ヘッドの上面図、図２８（Ｄ）はそのＡ−Ａ´における断面図である。図２８で示すように、この突起物が循環流と垂直に位置していてもよい。いずれの場合であっても、流れモードＡに必要なＰ、Ｗ、Ｈの定義は、図２７及び図２８中に示す通りである。
【００８８】
また、圧力室内のインクを循環させる方法としては、図２、図３で説明した、２つの流路に圧力差を設ける差圧方式と、記録素子基板１０の流路内に循環の動力源（ポンプ）としてマイクロアクチュエータ設けた、所謂マイクロポンプ方式が挙げられる。本発明は、いずれの方式であっても成り立つが、循環流の安定かつ高い流速を実現し易い観点からは、差圧方式であることが好ましい。しかしながらマイクロポンプ方式であっても、発熱素子であるマイクロアクチュエータに加えて、圧電素子からなるアクチュエータ―を付加するといったアシスト機能を設けることで循環流速を向上させることで、本発明を好適に適用可能である。また循環流が流れる流路の断面積を大きくし流抵抗を小さくすることで循環流速を向上させることもできる。
【００８９】
また、基板に供給流路や回収流路の一部が形成され、これら流路が基板を貫通している例を示したが、これら流路は基板を貫通していなくてもよい。例えば基板上にのみ、これら流路が形成されていてもよい。
【００９０】
上記各実施形態においては、循環を行う動力源であるポンプを液体吐出ヘッドの外部である液体吐出装置の本体に設けられる例を示したが、動力源を液体吐出ヘッド３に設ける構成であっても良い。特に、記録素子を備える記録素子基板１０（図９）に、発熱素子やピエゾ素子等からなるマイクロポンプ（マイクロアクチュエータ―）を設ける構成でも良く、装置本体側のポンプとヘッド側のマイクロポンプとを併用する形態であっても良い。
【００９１】
マイクロポンプを記録素子基板に設ける場合は、液体を保持する共通液室（不図示）と、圧力室２３と共通液室とを連通する第１の流路（不図示）と、圧力室２３と共通液室とを連通する第２の流路（不図示）と、を備える。マイクロポンプは第２流路に設ける構成が適用できる。第２流路は屈曲部を有する略Ｕ字形状の流路とすることが可能である。
【００９２】
上記の圧力室内の循環の効果は、インクの温度を調整する（温調する）ヘッド、特にヘッドに設けられた加熱手段によってインクを加温するヘッドに対して特に有効である。その理由は、インク（ヘッド）温度の増加に伴い、吐出口の水分蒸発量が増加し、増粘し易い環境になる為である。加熱手段としては、インクを吐出するためのエネルギー発生素子とは別に発熱素子を設けても良く、またエネルギー発生素子を加熱手段として兼用しても良い。
【００９３】
顔料の分散安定化は，顔料粒子の静電反発力を利用する自己分散顔料と樹脂吸着による立体障害を利用する樹脂分散顔料がある。水分が蒸発し、顔料濃度が上昇する場合、顔料同士の粒子間距離が近接する。その際、樹脂分散顔料は樹脂が阻害し凝集しづらいが、自己分散顔料は阻害するものがなく凝集しやすい。したがって、自己分散顔料は樹脂分散顔料より水分蒸発時の粘度上昇が大きくなる為、インクが含む顔料が自己分散顔料の場合、樹脂分散顔料より圧力室内の循環による濃縮抑制の効果は大きい。特に水分少インクの場合、水分蒸発時の濃縮の影響を受けやすいため、自己分散顔料を含んでいる場合に圧力室内の循環による濃縮抑制の効果は大きくなる。
【符号の説明】
【００９４】
２  吐出口部
３  液体吐出ヘッド
９  吐出口
１３  流路
１４  エネルギー発生素子
１８  供給流路
１９  回収流路
【図１】
2020059168.tif 000005
【図２】
2020059168.tif 000006
【図３】
2020059168.tif 000007
【図４】
2020059168.tif 000008
【図５】
2020059168.tif 000009
【図６】
2020059168.tif 000010
【図７】
2020059168.tif 000011
【図８】
2020059168.tif 000012
【図９】
2020059168.tif 000013
【図１０】
2020059168.tif 000014
【図１１】
2020059168.tif 000015
【図１２】
2020059168.tif 000016
【図１３】
2020059168.tif 000017
【図１４】
2020059168.tif 000018
【図１５】
2020059168.tif 000019
【図１６】
2020059168.tif 000020
【図１７】
2020059168.tif 000021
【図１８】
2020059168.tif 000022
【図１９】
2020059168.tif 000023
【図２０】
2020059168.tif 000024
【図２１】
2020059168.tif 000025
【図２２】
2020059168.tif 000026
【図２３】
2020059168.tif 000027
【図２４】
2020059168.tif 000028
【図２５】
2020059168.tif 000029
【図２６】
2020059168.tif 000030
【図２７】
2020059168.tif 000031
【図２８】
2020059168.tif 000032
【図２９】
2020059168.tif 000033
【図３０】
2020059168.tif 000034
【図３１】
2020059168.tif 000035
【図３２】
2020059168.tif 000036
【図３３】
2020059168.tif 000037